(57)【要約】【課題】活性炭による消臭効果を効果的に延ばすことができ、しかも、それを簡素な構造で容易に実現することができる、活性炭マット等を提供する。【解決手段】活性炭マットは、通気性を有する袋２に活性炭３が詰められると共に、袋２内と袋２外とを連絡する揚水布６が設けられ、袋２の外から揚水布６を通じて袋２内の活性炭３に、炭化水素分解能を有する微生物１２を供給することができるようになされているものである。袋２の内外に延ばされ、袋２内の空気を吸い込んで、袋２の外の空気を袋２を通じて袋２内に導入させるパイプ４が設けられているとよい。また、パイプ４から袋２内に向けて光照射をすることができるようになされているとよい。【選択図】      図１
2010253421.tif 000002
【特許請求の範囲】
【請求項１】
通気性を有する袋に活性炭が詰められると共に、袋内と袋外とを連絡する揚水布が設けられ、袋外から前記揚水布を通じて袋内の活性炭に、炭化水素分解能を有する微生物を供給することができるようになされていることを特徴とする活性炭マット。
【請求項２】
前記袋の内外にパイプが延ばされ、該パイプによって、
該袋内の空気を吸い込んで袋外の空気を袋を通じて袋内に導入させること、及び／又は、該袋内に空気を吐き出して袋内の空気を袋を通じて袋外に排出させること、ができるようになされている請求項１に記載の活性炭マット。
【請求項３】
前記パイプから袋内に向けて光照射をすることができるようになされている請求項２に記載の活性炭マット。
【請求項４】
請求項１乃至３のいずれか一に記載の活性炭マットであって、炭化水素分解能を有する微生物を揚水布を通じて袋内の活性炭に供給したものを、炭化水素で汚染された土壌に設置し、土壌に含まれる炭化水素を袋内の活性炭に吸着させることを特徴とする、炭化水素で汚染された土壌の浄化方法。
【発明の詳細な説明】
【技術分野】
【０００１】
本発明は、活性炭マット及び炭化水素で汚染された土壌の浄化方法に関する。
【背景技術】
【０００２】
活性炭を用いて消臭することや、炭化水素分解能を有する微生物を用いて炭化水素で汚染された土壌等を浄化することは、従来より知られている。
【先行技術文献】
【特許文献】
【０００３】
【特許文献１】特開平７−１９４９２２号公報
【特許文献２】特開２００８−２７２５４０号公報
【特許文献３】実用新案登録第３０２４４７２号公報
【発明の概要】
【発明が解決しようとする課題】
【０００４】
しかしながら、活性炭は、ニオイ成分を吸着することはできるが、分解することができず、そのため、飽和してしまうと、それ以上の消臭効果を得られなくなってしまうという問題がある。
【０００５】
本発明は、上記のような問題点に鑑み、活性炭による消臭効果を効果的に延ばすことができ、しかも、それを簡素な構造で容易に実現することができる、活性炭マット等を提供することを課題とする。
【課題を解決するための手段】
【０００６】
上記の課題は、通気性を有する袋に活性炭が詰められると共に、袋内と袋外とを連絡する揚水布が設けられ、袋外から前記揚水布を通じて袋内の活性炭に、炭化水素分解能を有する微生物を供給することができるようになされていることを特徴とする活性炭マットによって解決される（第１発明）。
【０００７】
このマットでは、通気性を有する袋を通じて袋内の活性炭に吸着されたニオイ成分は、該活性炭に供給された微生物によって分解されていき、それによって、袋内の活性炭がニオイ成分の吸着によって飽和するのを防がれ、活性炭による消臭効果を効果的に延ばすことができる。
【０００８】
しかも、袋内の活性炭に対する微生物の供給は、袋内と袋外とを連絡する揚水布を利用して、袋外から行うことができるので、袋内の活性炭に対する微生物の供給を容易に行うことができると共に、微生物による炭化水素の分解に必要な水や栄養分の供給も揚水布を通じて容易に行うことができる。
【０００９】
加えて、マットに対して揚水布を袋内と袋外とを連絡するように設けるだけでよいので、袋内の活性炭に対する微生物の供給を簡素な構造で行うことができる。
【００１０】
第１発明において、前記袋の内外にパイプが延ばされ、該パイプによって、
該袋内の空気を吸い込んで袋外の空気を袋を通じて袋内に導入させること、及び／又は、該袋内に空気を吐き出して袋内の空気を袋を通じて袋外に排出させること、ができるようになされているとよい（第２発明）。
【００１１】
この場合は、パイプによって、袋内の空気を吸い込んで袋外の空気を袋を通じて袋内に導入させること、及び／又は、該袋内に空気を吐き出して袋内の空気を袋を通じて袋外に排出させること、を行うことにより、酸素が袋内に積極的に導入され、微生物による炭化水素分解能力が高められ、活性炭に促進的に吸着されていくニオイ成分を促進的に分解していくことができて、消臭効果を高いものにすることができながら、そのような高い消臭効果を効果的に延ばすことができる。特に、パイプによって、袋内の空気を吸い込んで袋外の空気を袋を通じて袋内に導入させる場合は、袋外の空気が袋内に積極的に導入され、袋外の空気に含まれていたニオイ成分を袋内の活性炭に促進的に吸着させていくことができる。
【００１２】
第２発明において、前記パイプから袋内に向けて光照射をすることができるようになされているとよい（第３発明）。この場合は、袋内の活性炭に繁殖した微生物に光照射がなされることで炭化水素の分解能力が高められ、しかも、それを、上記のような酸素供給パイプを利用して簡素な構造で実現することができる。
【００１３】
また、本発明は、第１〜第３発明のいずれかの活性炭マットであって、炭化水素分解能を有する微生物を揚水布を通じて袋内の活性炭に供給したものを、炭化水素で汚染された土壌に設置し、土壌に含まれる炭化水素を袋内の活性炭に吸着させることを特徴とする、炭化水素で汚染された土壌の浄化方法を含む（第４発明）。
【００１４】
この方法では、土壌に含まれる炭化水素を活性炭が吸着し、吸着した炭化水素を微生物が分解して、炭化水素で汚染された土壌を効果的に消臭、清浄化していくことができる。袋の内外にパイプが延ばされ、該パイプによって、該袋内の空気を吸い込んで袋外の空気を袋を通じて袋内に導入させること、及び／又は、該袋内に空気を吐き出して袋内の空気を袋を通じて袋外に排出させること、ができるようになされている場合は、微生物による炭化水素分解能力を高めることなどが可能になる。該パイプから袋内に向けて光照射をすることができるようになされている場合は、袋内の活性炭に繁殖した微生物に光照射をして炭化水素の分解能力を高めることができる。
【発明の効果】
【００１５】
本発明の活性炭マットは、以上のとおりのものであるから、活性炭による消臭効果を効果的に延ばすことができ、しかも、それを簡素な構造で容易に実現することができる。
【００１６】
また、本発明の、炭化水素で汚染された土壌の浄化方法によれば、土壌に含まれる炭化水素を活性炭が吸着し、吸着した炭化水素を微生物が分解して、炭化水素で汚染された土壌を効果的に消臭、清浄化していくことができ、しかも、それを簡素な構造で容易に実現することができる。
【図面の簡単な説明】
【００１７】
【図１】実施形態の活性炭マットを示すもので、図（イ）は斜視図、図（ロ）は平面図、図（ハ）は袋を透視状態にした平面図、図（ニ）は側面図である。
【図２】図（イ）及び図（ロ）はそれぞれ、油で汚染された土壌を活性炭マットを用いて清浄化する方法を示す断面正面図である。
【図３】油で汚染された土壌を活性炭マットを用いて清浄化する他の方法を示す断面正面図である。
【発明を実施するための形態】
【００１８】
次に、本発明の実施形態を図面に基づいて説明する。
【００１９】
図１に示す実施形態の活性炭マット１は、不織布などからなる通気性を有する袋２内に活性炭３が詰められた偏平な方形状のマットからなっていて、袋２内の幅方向の中央部には、パイプとしての吸引パイプ４が通されており、その端部は袋２の外に導出されている。吸引パイプ４の周壁には、袋２内に存在する部分において、多数の孔４ａ…が分散状態に設けられ、該吸引パイプ４の袋外導出部分に吸引機５を接続して吸引することにより、袋２内の空気が吸引パイプ４の周壁の孔４ａ…を通じて吸い込まれ、袋２の外の空気が通気性の袋２を通じて袋２内に導入されるようになされている。
【００２０】
そして、袋２内において、吸引パイプ４を挟んだ幅方向の両側には、揚水布６，６が、活性炭３の厚さ方向の中間部を通るように配置されており、各揚水布６，６は、袋２の外に導出されて袋２の内と外とを連絡するようになされており、袋２の外に導出されている部分に、炭化水素分解能を有する微生物１２を供給することで、該微生物１２は、揚水布６，６を通じて袋２内に送り込まれ、袋２内の活性炭３に供給されるようになされている。この微生物１２による炭化水素の分解に必要な水１３や栄養剤１４も揚水布６，６を通じて活性炭３の側に供給することができるのはいうまでもない。
【００２１】
更に、吸引パイプ４から袋２内に向けて光照射がなされるようになっている。光は、吸引パイプ４の孔４ａ…を通じて袋２内に照射されるようになされていてもよいし、吸引パイプ４として透明パイプを用いて袋２内に照射されるようになされていてもよい。光照射のための光源７は、ＬＥＤ等からなって、吸引パイプ４内に挿入して光照射を行うようにしてもよいし、吸引パイプ４内を光路にして袋の外から光を送るようにしてもよい。
【００２２】
上記の活性炭マット１では、通気性を有する袋２を通じて袋２内の活性炭３に吸着されたニオイ成分は、該活性炭３に供給された微生物１２によって分解されていき、それによって、袋２内の活性炭３がニオイ成分の吸着によって飽和するのを防がれ、活性炭３による消臭効果を効果的に延ばすことができる。
【００２３】
しかも、袋２内の活性炭３に対する微生物１２の供給は、揚水布６を利用して、袋２の外から行うことができるので、袋２内の活性炭３に対する微生物１２の供給を容易に行うことができると共に、微生物１２による炭化水素の分解に必要な水や栄養分の供給も揚水布６を通じて容易に行うことができる。加えて、マット１に対して揚水布６を袋２の内外を連絡するように設けるだけでよいので、袋２内の活性炭３に対する微生物１２の供給を簡素な構造で行うことができる。
【００２４】
また、吸引パイプ４に吸引機５を接続して、吸引機５を駆動すれば、吸引パイプ４に袋２内の空気が吸い込まれ、それにより、袋２の外の空気が袋２を通じて袋２内に積極的に導入され、袋２の外の空気に含まれていたニオイ成分を袋２内の活性炭３に促進的に吸着させていくことができ、しかも、袋２の外の空気が袋２内に積極的に導入されることで、微生物１２による炭化水素分解能力が高められ、活性炭３に促進的に吸着されていくニオイ成分を促進的に分解していくことができて、消臭効果を高いものにすることができながら、そのような高い消臭効果を効果的に延ばすことができる。
【００２５】
更に、吸引パイプ４から袋２内に向けて光照射をすることができるようになされているので、袋２内の活性炭３に繁殖した微生物１２の炭化水素の分解能力を光照射によって高めることができる。
【００２６】
上記の活性炭マット１は、例えば、重油などの油で汚染された土壌を清浄化するのに用いることができる。即ち、図２（イ）に示す例は、油で汚染された土壌８を掘削した後、その掘削穴９を囲む土壌面に活性炭マット１を、揚水布６と吸引パイプ４とが地上に残されるように敷き、しかる後、掘削穴９を、汚染されていない清浄土１０で埋めたものである。炭化水素分解能を有する微生物１２、例えば油分解菌は、埋込み前の活性炭マット１の活性炭３に揚水布６を通じて予め供給しておいてもよいし、埋込み後の活性炭マット１の活性炭３に揚水布６を通じて供給するというようにしてもよい。
【００２７】
これにより、土壌８に含まれている重油のニオイ成分をマット１内の活性炭３が吸着し、吸着したニオイ成分を微生物１２が分解し、重油で汚染された土壌８は効果的に消臭され清浄化されていく。
【００２８】
その際に、吸引パイプ４に吸引機５を接続して空気の吸引を行えば、袋２内の空気が吸引パイプ４に吸い込まれていき、それにより、袋２外から空気が袋２内に積極的に導入されて、油によるニオイ成分は袋２内の活性炭３に促進的に吸着されていくと共に、微生物１２によるニオイ成分の分解能力も高められて、油で汚染された土壌８を効果的に消臭、清浄化していくことができる。
【００２９】
なお、パイプ４は、空気吐出機を接続することで袋２内に空気を吐出することができるようになされていてもよく、その場合は、袋２内に積極的に空気が吐き出されて微生物１２によるニオイ成分の分解能力が高められ、油で汚染された土壌８を効果的に消臭、清浄化していくことができる。また、パイプ４は、袋２内の空気を吸引することと、袋２内に空気を吐出することとの両方をできるようになされて、選択的に、袋２内の空気を吸引したり、袋２内に空気を吐出したりすることができるようになされていてもよい。
【００３０】
また、地上から水と栄養剤を揚水布６を通じてもマット１内の微生物１２に供給すると共に、吸引パイプ４から袋２内に向けて光照射をすることにより、袋２内の活性炭３に繁殖した微生物１２の分解能力を高めることができて、油で汚染された土壌８を効果的に清浄化していくことができる。１１は建物の基礎である。
【００３１】
図２（ロ）に示す例は、油で汚染された土壌８の地表面部に活性炭マット１を敷いたものであり、同様に、油で汚染された土壌８を効果的に消臭、清浄化していくことができる。
【００３２】
図３に示す例は、油で汚染された土壌８を掘削し、掘削穴９に対して、揚水布６と、掘削した油汚染土８とを上方に向けて交互配置となるように多層に埋め戻していき、最上部に活性炭マット１を敷設したもので、各層に配置した揚水布６…の端は、地上に導出されており、その導出部分を通じて、炭化水素分解能を有する微生物１２と、その栄養剤、水が、油汚染土８中に多層状態に供給されるようになされている。このような構造ないし方法によれば、最上部に活性炭マット１による消臭、清浄化のみならず、油汚染土８中をも効果的に消臭、清浄化していくことができる。
【符号の説明】
【００３３】
１…活性炭マット
２…袋
３…活性炭
４…吸引パイプ（パイプ）
６…揚水布
７…光源
１２…微生物
【図１】
2010253421.tif 000003
【図２】
2010253421.tif 000004
【図３】
2010253421.tif 000005